(57)【特許請求の範囲】
【請求項１】
水面付近又は水中を遊泳させるルアーであって、
前記ルアーの本体部と、
前記本体部の両側面の少なくとも一方に設けられ、遊泳時に水流抵抗を付与する抵抗部と、を備え、
前記抵抗部は、当該抵抗部に対して前方から後方に向かう方向に力が作用することにより所定の角度で位置決めされた状態になるものであり、
前記抵抗部を前記本体部の側面に対して交差する軸周りに回動可能に構成し、前記抵抗部を回動させつつ、回動させた位置で位置決めを可能にしたことを特徴とするルアー。
【請求項２】
水面付近又は水中を遊泳させるルアーであって、
前記ルアーの本体部と、
前記本体部の両側面の少なくとも一方に設けられ、遊泳時に水流抵抗を付与する抵抗部と、
前記ルアーの前記本体部に設けられ、前記抵抗部を回動させる角度調節部と、を備え、
前記抵抗部は、
前記本体部の内部方向に突設されると共に回動の支点となる支持部と、
前記支持部の後方側であって、前記本体部の内部方向に突設されたラッチ部と、を有し、
前記角度調節部は、
前記本体部に形成され、前記支持部を軸支すると共に前記支持部を遊泳方向前後に移動可能に案内する案内部と、
前記案内部の前方であって遊泳方向前後に沿って設けられ、前記案内部の後方に向けて前記支持部を付勢する弾性部材と、
前記案内部の後方に形成され、前記抵抗部が回転する方向の複数の位置で前記ラッチ部と係止可能なラッチ溝と、を備え、
前記抵抗部を前記本体部の側面に対して交差する軸周りに回動可能にすることにより、前記抵抗部を回動させつつ、回動させた位置で位置決めを可能に構成し、
前記抵抗部は、前記弾性部材に抗して前記案内部の前方側に移動させた際に前記ラッチ部と前記ラッチ溝との係止が解除されて角度調節が可能になるものであり、前記弾性部材に抗する力の付与を解除した際に前記ラッチ部と前記ラッチ溝とが係止することにより、当該抵抗部が所定の角度で位置決めされるようにしたことを特徴とするルアー。
【請求項３】
水面付近又は水中を遊泳させるルアーであって、
前記ルアーの本体部と、
前記本体部の両側面の少なくとも一方に設けられ、遊泳時に水流抵抗を付与する抵抗部と、
前記ルアーの前記本体部に設けられ、前記抵抗部を回動させる角度調節部と、を備え、
前記抵抗部は、
前記本体部の内部方向に突設されると共に回動の支点となる支持部と、
前記支持部の外周に設けられたラッチ溝と、を有し、
前記角度調節部は、
前記ラッチ溝と係止可能なラッチ部と、
前記本体部に形成され、前記ラッチ部を遊泳方向前後に移動可能に案内する案内部と、
前記案内部内に設けられ、前記案内部の前方に向けて前記ラッチ部を付勢する弾性部材と、を備え、
前記抵抗部を前記本体部の側面に対して交差する軸周りに回動可能にすることにより、前記抵抗部を回動させつつ、回動させた位置で位置決めを可能に構成し、
前記抵抗部は、前記弾性部材に抗して強制的に回動させた際に前記ラッチ部が前記案内部の後方側に移動することで前記ラッチ部と前記ラッチ溝との係止が解除されて角度調節が可能になるものであり、当該抵抗部の回動を停止させた際に前記ラッチ部と前記ラッチ溝とが係止することにより、当該抵抗部が所定の角度で位置決めされるようにしたことを特徴とするルアー。
【請求項４】
水面付近又は水中を遊泳させるルアーであって、
前記ルアーの本体部と、
前記本体部の両側面の少なくとも一方に設けられ、遊泳時に水流抵抗を付与する抵抗部と、
前記ルアーの前記本体部に設けられ、前記抵抗部を回動させる角度調節部と、を備え、
前記抵抗部は、
前記本体部の内部方向に突設されると共に回動の支点となる支持部と、
前記支持部の外周に設けられたラッチ部と、を有し、
前記角度調節部は、
前記本体部に形成され、前記支持部を軸支すると共に前記支持部を遊泳方向前後に移動可能に案内する案内部と、
前記案内部の前方であって遊泳方向前後に沿って設けられ、前記案内部の方向に向けて前記支持部を付勢する弾性部材と、
前記案内部の後方側の周壁に形成され、前記ラッチ部と係止可能なラッチ溝と、を備え、
前記抵抗部を前記本体部の側面に対して交差する軸周りに回動可能にすることにより、前記抵抗部を回動させつつ、回動させた位置で位置決めを可能に構成し、
前記抵抗部は、前記弾性部材に抗して前記案内部の前方側に移動させた際又は前記弾性部材に抗して強制的に回動させた際に前記ラッチ部と前記ラッチ溝との係止が解除されて角度調節が可能になるものであり、当該抵抗部の回動を停止させた際又は前記弾性部材に抗する力の付与を解除した際に前記ラッチ部と前記ラッチ溝とが係止することにより、当該抵抗部が所定の角度で位置決めされるようにしたことを特徴とするルアー。
【請求項５】
前記抵抗部は、当該抵抗部に対して前方から後方に向かう方向に力が作用することにより所定の角度で位置決めされた状態になることを特徴とする請求項２から４のいずれかに記載のルアー。
【請求項６】
一対の前記抵抗部と、
前記抵抗部同士を、前記本体部を介して接続する支柱と、を備え、
前記抵抗部を一体に回動させることにより角度調節を可能にしたことを特徴とする請求項１から５のいずれかに記載のルアー。
【請求項７】
前記支柱は、密度が前記本体部の密度よりも高い素材で構成されることを特徴とする請求項６に記載のルアー。
【請求項８】
前記支柱は、比重が１よりも大きい素材で構成されることを特徴とする請求項６又は７に記載のルアー。
【請求項９】
前記支柱は、釣糸と接続されるアイよりも下側の領域に設けられることを特徴とする請求項６から８のいずれかに記載のルアー。
【請求項１０】
前記抵抗部は、前記本体部から着脱して交換が可能であることを特徴とする請求項１から９のいずれかに記載のルアー。
【発明の詳細な説明】
【技術分野】
【０００１】
本発明は、釣りに用いられるルアーに関する。
【背景技術】
【０００２】
魚釣りにおいて、生餌に代えてルアー（疑似餌ともいう）が用いられることがある。前記ルアーは、対象魚に応じて、各種の形態のものが用いられる。例えば、ブラックバスやスズキ等の対象魚は、小魚を補食しており、当該対象魚を釣り上げるために小魚の形状をしたルアーが用いられることがある。前記ルアーは、集魚効果を上げるためにルアーの形や色彩等に工夫がなされている。
【０００３】
例えば、魚形状のルアーの口部に、上下に回動可能な下顎部を設け、当該下顎部を回動するようにしたルアーが知られている（例えば、特許文献１）。前記ルアーは、前記下顎部を回動することにより、当該下顎部の回動角度に応じて、遊泳時に前記口部回りで受ける水流抵抗を大小変化させるようにしている。
【先行技術文献】
【特許文献】
【０００４】
【特許文献１】特開２００８−１１３６２８
【発明の概要】
【発明が解決しようとする課題】
【０００５】
特許文献１の発明は、前記下顎部の回動角度を変化させることにより、一つのルアーで多様なアクションを起こさせることが可能とされている。上述のように下顎部やリップを設けたルアーは、当該下顎部やリップの抵抗が大きく、アクションが大きいため、集魚効果が得やすいとされている。
【０００６】
しかしながら、頻繁にルアー釣りが行われているような場所においては、ルアーに慣れた魚（以下、すれた魚とも称す）が増え、上述のようにアクションが大きいルアーは、魚に偽物であることが見破られやすくなっている。従って、すれていない魚だけではなく、すれた魚に対しても釣果を上げることができるルアーが求められている。
【０００７】
そこで、本発明は、様々な環境において、最適なルアー特性を発揮することができ、すれていない魚ばかりではなく、すれた魚に対しても柔軟に対応できるルアーを提供することを目的とする。
【課題を解決するための手段】
【０００８】
上述した課題を解決すべく提供される本発明のルアーは、水面付近又は水中を遊泳させるものであって、前記ルアーの本体部と、前記本体部の両側面の少なくとも一方に設けられ、遊泳時に水流抵抗を付与する抵抗部と、を備え、前記抵抗部を前記本体部の側面に対して交差する軸周りに回動可能に構成し、前記抵抗部を回動させつつ、回動させた位置で位置決めを可能にしたことを特徴とするものである。
【０００９】
かかる構成によれば、本体部の両側面に設けられた抵抗部の角度を可変することで、水流抵抗を変化させて、ルアーの遊泳方向を可変させることができる。また、抵抗部の角度を調節することで、多彩なルアーの動きをさせることができる。また、抵抗部が所定の角度で位置決めされるので、ルアーを水中で引っ張ったときの抵抗部の安定度が向上する。
【００１０】
上述した課題を解決すべく提供される本発明のルアーは、前記抵抗部が、前記本体部に沿う形状に形成されることにより、前記本体部と接するように装着が可能であることを特徴とするものである。
【００１１】
かかる構成によれば、抵抗部の装着面が本体部と接するように設けられているので、水流の乱れが少なくなり、安定してルアーを遊泳させることが可能となる。また、ルアーが自然な動きをするので、すれた魚を釣りやすくなる。
【００１２】
上述した課題を解決すべく提供される本発明のルアーは、前記ルアーの前記本体部に前記抵抗部を回動させる角度調節部を設け、前記抵抗部は、前記本体部の内部方向に突設されると共に回動の支点となる支持部と、前記支持部の後方側であって、前記本体部の内部方向に突設されたラッチ部と、を有し、前記角度調節部は、前記本体部に形成され、前記支持部を軸支すると共に前記支持部を遊泳方向前後に移動可能に案内する案内部と、前記案内部の前方であって遊泳方向前後に沿って設けられ、前記案内部の後方に向けて前記支持部を付勢する弾性部材と、前記案内部の後方に形成され、前記抵抗部が回転する方向の複数の位置で前記ラッチ部と係止可能なラッチ溝と、を備え、前記抵抗部は、前記弾性部材に抗して前記案内部の前方側に移動させた際に前記ラッチ部と前記ラッチ溝との係止が解除されて角度調節が可能になるものであり、前記弾性部材に抗する力の付与を解除した際に前記ラッチ部と前記ラッチ溝とが係止することにより、当該抵抗部が所定の角度で位置決めされるようにしたことを特徴とするものである。
【００１３】
かかる構成によれば、ルアー本体部の内部で抵抗部の係止が行われるので、水流の乱れがなくルアーの安定した遊泳が可能となる。また、弾性部材に抗する力を付与するだけで、ラッチ部による抵抗部の係止と解除が容易に行えるので、抵抗部の角度の調節を容易に行うことが可能となる。また、ラッチ部による抵抗部の係止が、ルアーの遊泳方向と逆方向となる後方側に向けて行われるので、ルアーの遊泳時に抵抗部の角度が不用意に切り替わることを防止できる。また、ラッチ部による抵抗部の係止方向が、水流抵抗を受ける方向と一致しているので、ラッチ部やラッチ溝の破損を防止できる。
【００１４】
上述した課題を解決すべく提供される本発明のルアーは、前記ルアーの前記本体部に前記抵抗部を回動させる角度調節部を設け、前記抵抗部は、前記本体部の内部方向に突設されると共に回動の支点となる支持部と、前記支持部の外周に設けられたラッチ溝と、を有し、前記角度調節部は、前記ラッチ溝と係止可能なラッチ部と、前記本体部に形成され、前記ラッチ部を遊泳方向前後に移動可能に案内する案内部と、前記案内部内に設けられ、前記案内部の前方に向けて前記ラッチ部を付勢する弾性部材と、を備え、前記抵抗部は、前記弾性部材に抗して強制的に回動させた際に前記ラッチ部が前記案内部の後方側に移動することで前記ラッチ部と前記ラッチ溝との係止が解除されて角度調節が可能になるものであり、当該抵抗部の回動を停止させた際に前記ラッチ部と前記ラッチ溝とが係止することにより、当該抵抗部が所定の角度で位置決めされるようにしたことを特徴とするものである。
【００１５】
かかる構成によれば、ルアー本体部の内部で抵抗部の係止が行われるので、水流の乱れがなくルアーの安定した遊泳が可能となる。また、弾性部材に抗する力を付与するだけで、ラッチ部による抵抗部の係止と解除が容易に行えるので、抵抗部の角度の調整を容易に行うことが可能となる。また、ラッチ部による抵抗部の係止が、ルアーの遊泳方向と逆方向となる後方側に向けて行われるので、ルアーの遊泳時に抵抗部の角度が不用意に切り替わることを防止できる。また、ラッチ部による抵抗部の係止方向が、水流抵抗を受ける方向と一致しているので、ラッチ部やラッチ溝の破損を防止できる。
【００１６】
上述した課題を解決すべく提供される本発明のルアーは、前記ルアーの前記本体部に前記抵抗部を回動させる角度調節部を設け、前記抵抗部は、前記本体部の内部方向に突設されると共に回動の支点となる支持部と、前記支持部の外周に設けられたラッチ部と、を有し、前記角度調節部は、前記本体部に形成され、前記支持部を軸支すると共に前記支持部を遊泳方向前後に移動可能に案内する案内部と、前記案内部の前方であって遊泳方向前後に沿って設けられ、前記案内部の方向に向けて前記支持部を付勢する弾性部材と、前記案内部の後方側の周壁に形成され、前記ラッチ部と係止可能なラッチ溝と、を備え、前記抵抗部は、前記弾性部材に抗して前記案内部の前方側に移動させた際又は前記弾性部材に抗して強制的に回動させた際に前記ラッチ部と前記ラッチ溝との係止が解除されて角度調節が可能になるものであり、当該抵抗部の回動を停止させた際又は前記弾性部材に抗する力の付与を解除した際に前記ラッチ部と前記ラッチ溝とが係止することにより、当該抵抗部が所定の角度で位置決めされるようにしたことを特徴とするものである。
【００１７】
かかる構成によれば、ルアー本体部の内部で抵抗部の係止が行われるので、水流の乱れがなくルアーの安定した遊泳が可能となる。また、弾性部材に抗する力を付与するだけで、ラッチ部による抵抗部の係止と解除が容易に行えるので、抵抗部の角度の調整を容易に行うことが可能となる。また、ラッチ部による抵抗部の係止が、ルアーの遊泳方向と逆方向となる後方側に向けて行われるので、ルアーの遊泳時に抵抗部の角度が不用意に切り替わることを防止できる。また、ラッチ部による抵抗部の係止方向が、水流抵抗を受ける方向と一致しているので、ラッチ部やラッチ溝の破損を防止できる。
【００１８】
上述した課題を解決すべく提供される本発明のルアーは、前記抵抗部は、当該抵抗部に対して前方から後方に向かう方向に力が作用することにより所定の角度で位置決めされた状態になることを特徴とするものである。
【００１９】
かかる構成によれば、抵抗部が、水流抵抗により水圧のかかる方向に係止されることで、ルアーの遊泳時に水流抵抗により抵抗部の角度が不用意に変わることを防止できる。また、ラッチ部による抵抗部の係止方向が、水流抵抗を受ける方向と一致しているので、ラッチ部やラッチ溝の破損を防止できる。
【００２０】
上述した課題を解決すべく提供される本発明のルアーは、一対の前記抵抗部と、前記抵抗部同士を、前記本体部を介して接続する支柱と、を備え、前記抵抗部を一体に回動させることにより角度調節を可能にしたことを特徴とするものである。
【００２１】
かかる構成によれば、一対の抵抗部がそれぞれ接続されることで、抵抗部の角度設定が、一体的に同時に行えるので、角度調整が簡単に行える。
【００２２】
上述した課題を解決すべく提供される本発明のルアーは、前記支柱の密度が前記本体部の密度よりも高い素材で構成されることを特徴とするものである。
【００２３】
かかる構成によれば、前記支柱が、本体部の密度よりも高い素材で形成されているので、支柱が錘として作用し、ルアーの動きの安定化や沈む速度の調整を行うことができる。また、本体部内部に錘を設けることが可能であり、支柱と共通化できるので省スペースを図ることができる。  ・
【００２４】
上述した課題を解決すべく提供される本発明のルアーは、前記支柱が、比重が１よりも大きい素材で構成されることを特徴とするものである。
【００２５】
かかる構成における支柱は、例えば金属のように比重が１よりも大きい素材で構成される。これにより、前記抵抗部が水流による抵抗に負けることがなく、前記抵抗部の破損を防止でき、ルアーを安定に遊泳させることが可能となる。
【００２６】
上述した課題を解決すべく提供される本発明のルアーは、前記支柱が、釣糸と接続されるアイよりも下側の領域に設けられることを特徴とするものである。
【００２７】
かかる構成によれば、釣り糸と接続されるアイよりも下側で、支柱が錘として作用することで、ルアー本体が水中で安定した姿勢をとることが可能となる。これにより、ルアーが魚のような自然な動きを実現できる。
【００２８】
上述した課題を解決すべく提供される本発明のルアーは、前記支柱が、遊泳時に錘として作用することを特徴とするものである。
【００２９】
かかる構成によれば、支柱が錘として作用するので、例えば、遊泳時にルアーを水面から沈める用にすることが可能である。また、支柱が、ルアーの本体部に左右均等に位置するので、ルアー本体が水中で安定した姿勢をとることが可能となる。
【００３０】
上述した課題を解決すべく提供される本発明のルアーは、前記抵抗部が、前記本体部から着脱して交換が可能であることを特徴とするものである。
【００３１】
かかる構成によれば、抵抗部が交換可能であるので、状況に応じて、各種の形状、材質の抵抗部と交換することで、より効果的に釣果を上げることができる。
【発明の効果】
【００３２】
本発明のルアーによれば、抵抗部の角度が調節可能であるので、状況に応じたルアーアクションの設定が可能であり、自然の魚の遊泳に近い遊泳をさせることが可能なルアーを提供することができる。
【図面の簡単な説明】
【００３３】
【図１】は、本発明のルアーの外観の斜視図である。
【図２】は、本発明の第一の実施形態にかかるルアーの正面図である。
【図３】は、本発明のルアーの左側面図である。
【図４】は、図３のＡ−Ａ方向矢視図である。
【図５】（ａ）は、図２の一部省略上面図であり、（ｂ）は、分解説明図である。
【図６】は、本発明の第一の実施形態にかかる抵抗部の動作説明図である。
【図７】は、本発明の第二の実施形態にかかるルアーの図３におけるＡ−Ａ方向矢視図である。
【図８】（ａ）は、本発明の第二の実施形態にかかるルアーの図３におけるＢ−Ｂ方向矢視図であり、（ｂ）は分解説明図である。
【図９】は、本発明の第二の実施形態にかかるルアーの一部切欠き斜視説明図である。
【図１０】は、本発明の第二の実施形態にかかるルアーの動作説明図である。
【図１１】は、本発明の第三の実施形態にかかるルアーの正面図である。
【図１２】（ａ）は、図１１のＣ−Ｃ方向矢視図であり、（ｂ）は、図１１のＤ−Ｄ方向矢視図である。
【図１３】は、本発明の第四の実施形態にかかるルアーの図３におけるＡ−Ａ方向矢視図である。
【図１４】（ａ）は、本発明の第四の実施形態にかかる図３におけるＢ−Ｂ方向矢視図であり、（ｂ）は、分解説明図である。
【図１５】は、本発明の第四の実施形態にかかるルアーの一部切欠き斜視説明図である。
【図１６】（ａ）及び（ｂ）は、本発明の第四の実施形態にかかる動作説明図である。
【図１７】（ａ）及び（ｂ）は、本発明の第四の実施形態にかかる動作説明図である。
【発明を実施するための形態】
【００３４】
本発明のルアーの第一の実施形態について図１から図６を参照して以下に詳細を説明する。図１は、ルアー１０の外観を表す斜視図であり、図２は、ルアー１０の正面図である。また、図３は、ルアー１０を前方から見た左側面図であり、図４は、図３のＡ−Ａ方向矢視図である。
【００３５】
図１から図３のように、ルアー１０は、魚の形状に形成された本体部１１と、本体部１１の両側面に設けられた一対のヒレ部２０（抵抗部とも称す）と、図４のようにヒレ部２０が接続される角度調節部３０等を備えている。
【００３６】
本体部１１は、本実施形態では、頭部１１ａと、胴体部１１ｂと、尻部１１ｃとの３つに分割して形成されている。図４のように、頭部１１ａと、胴体部１１ｂとは、幅方向に二分される左右一対の樹脂等の部材を接合して形成され、中空構造を形成している。頭部１１ａと、胴体部１１ｂとは、金属等で形成されたリング１２でそれぞれ揺動可能に連結されている。なお、頭部１１ａ、胴体部１１ｂ及び尻部１１ｃのそれぞれの接続は、リング１２に代えて、ワイヤや糸などで連結しても良い。これにより、頭部１１ａと、胴体部１１ｂとは、ルアー１０の遊泳時に魚体のように左右に蛇行することが可能である。また、胴体部１１ｂと、尻部１１ｃとは連結部材１３で水平方向に回動可能に接続されている。これにより、胴体部１１ｂに対して尻部１１ｃとは、ルアー１０の遊泳時に魚体のように左右に揺動させることが可能である。なお、本実施形態においては、上述のようにルアー１０の本体部１１を３分割したが、使用状況に応じて、本体部１１が一体に形成されたものや本体部１１が複数分割されたようなものであっても良い。また、本体部１１を中空とするか否かは、使用状況や製造工程を考慮して適宜選択すれば良い。
【００３７】
また、頭部１１ａの前端における中央付近には釣糸（図示しない）を接続するアイ１４が設けられている。アイ１４は、釣糸が接続され、釣糸を引っ張ることでルアー１０が水面付近又は水中を遊泳する。
【００３８】
また、頭部１１ａ及び胴体部１１ｂの下側には、それぞれフック（図示しない）  を接続するアイ１５が設けられている。フックは、例えば、３つのフックが枝分かれしたものが用いられる。なお、アイ１４やアイ１５を設ける位置は、使用環境に応じて適宜変更することが可能である。
【００３９】
ヒレ部２０は、図３及び図５のように本実施形態においては、例えば、魚のヒレ形状に形成された左右対称の一対の部材で形成されている。ヒレ部２０は、図５（ａ）及び（ｂ）のように、ヒレ本体部２０ａと、ヒレ本体部２０ａを回動可能に支持する支柱２１（支持部とも称す）と、支柱２１の後方側に平行に設けられたラッチ部２２等を備えている。なお、支柱２１及びラッチ部２２は、ヒレ部２０と独立の部材とすることも可能である。
【００４０】
ヒレ本体部２０ａは、ルアー１０の遊泳時に水流抵抗を受けて、ルアー１０のアクション（例えば、潜水方向、浮上方向等）を制御するものである。ヒレ本体部２０ａは、使用状況に応じて、各種の色彩や各種の形状のものを使用できる。例えば、実際の魚と同様の色、派手な色、あるいは光を反射する光沢色、夜間に効果を発する蛍光色など各種の色彩のものを用いることができる。また、ヒレ部２０外側の水流抵抗を受ける面は、例えば、ルアー１０の本体部１１の形状に沿って形成することができる。これにより、ルアー１０の遊泳時にヒレ部２０の外側面に沿って水が自然に流れるので、ルアー１０が自然に遊泳する。従って、実際の魚のごとくルアー１０を遊泳させることができるので、例えばすれた魚にも偽物の餌であることが見破られにくくなる。すなわち、各種の状況に応じて釣果を上げることが可能となる。
【００４１】
図５（ｂ）のように支柱２１は、本体部１１の幅より僅かに長い円筒状の部材で形成され、両端側に前記ネジ２３と螺合する雌ネジ（図示しない）が形成されている。ヒレ本体部２０ａ側からネジ２３を挿通して支柱２１の雌ネジに螺合することで、支柱２１とヒレ本体部２０ａとが締結される。これにより、支柱２１は、本体部１１の内部方向に突設され、ヒレ部２０の回動の支点となる。また、両側のヒレ部４０同士が接続されているので両側のヒレ部４０を一体に回動させることが可能である。
【００４２】
また、支柱２１は、図６のように本体部１１の案内部３３に軸支され、ヒレ部２０を本体部１１の側面に対して交差する方向への回動を可能にする軸として機能する。なお、支柱２１は、密度が本体部１１の密度よりも高い素材で構成すると良い。支柱２１の密度が、本体部１１の密度よりも高い素材で構成することで、ルアー１０の錘として作用させることができる。また、支柱２１は、比重が１よりも大きい素材（例えば、鉄等の金属）で構成すると良い。支柱２１に比重が１よりも大きい素材を用いることで、ルアー１０の水中における錘として作用する。また、支柱２１を、本体部１１を側面視した状態において、釣糸に接続されるアイ１４よりも下側の領域に配置することで、魚のような自然な動きを実現しつつ、錘としても作用させることが可能である。
【００４３】
また、ヒレ本体部２０ａは、図５（ｂ）のようにラッチ部２２にネジ２３で螺合させることにより締結されている。これにより、ヒレ本体部２０ａは、ルアー１０の本体部１１の側面に着脱可能に装着される。また、ヒレ本体部２０ａにおける本体部１１への取り付け面は、本体部１１の外形に沿う形状のものを好ましく使用できる。ヒレ本体部２０ａにおける取り付け面を、本体部１１の外形に沿う形状に形成することにより、ヒレ本体部２０ａと本体部１１との間隔を狭く、あるいは、本体部１１と接するように装着が可能となる。これにより、ルアー１０を遊泳させる際に受ける水が、ルアー１０の本体部１１に沿って自然に流れるので、ルアー１０が自然に遊泳する。従って、実際の魚のごとくルアー１０を遊泳させることができるので、例えばすれた魚にも偽物の餌であることが見破られにくくなる。すなわち、各種の状況に応じて釣果を上げることが可能となる。
【００４４】
なお、ヒレ本体部２０ａは、左右一対となるように同じものを用いても良いし、左右で異なるものを用いても良い。例えば、左右で異なる形状のものを用いた場合、ルアー１０の動きが不均一となり、弱った魚等のような変則的なアクションをさせることが可能である。
【００４５】
ラッチ部２２は、支柱２１と同様に本体部１１の幅より僅かに長い円筒状の支柱で形成され、両端側に前記ネジ２３と螺合する雌ネジ（図示しない）が形成されている。ラッチ部２２は、後述する本体部１１に形成されたラッチ溝３５に係合し、所定位置でラッチ溝３５に係止可能である。なお、ラッチ部２２は、支柱２１と同様に密度が本体部１１の密度よりも高い素材や比重が１よりも大きい素材（例えば、鉄等の金属）で構成すると良い。これにより、ラッチ部２２もルアー１０の錘として作用させることが可能である。すなわち、本実施形態においては、ラッチ部２２も本発明における支柱として作用させることが可能である。
【００４６】
角度調節部３０は、ルアー１０の頭部１１ａでヒレ部２０が装着される位置に形成されている。角度調節部３０は、支柱２１を軸支すると共に遊泳方向前後に移動可能に案内する案内部３３と、案内部３３の前方であって遊泳方向前後に沿って設けられた収容部３１と、収容部３１の後方側に形成されたラッチ溝３５と、収容部３１内に収容されるバネ３２（弾性部材とも称す）等を備えている。なお、案内部３３と、収容部３１と、ラッチ溝３５と、バネ３２とは、角度調節部３０とそれぞれ独立の部材とすることも可能である。
【００４７】
図５及び図６のように案内部３３は、頭部１１ａの両側面に形成された開孔であり、本実施形態では、釣糸を接続するアイ１４よりも下側の領域に設けられている。案内部３３は、支柱２１が挿通され、当該支柱２１を軸支可能である。また、詳細は後述するが、案内部３３は、支柱２１が遊泳方向前後に移動可能に案内されるように前後方向に長手となる長孔形状に開孔されている。
【００４８】
収容部３１は、頭部１１ａの内面に突設された周壁内に形成され、案内部３３の前方側であって本体部１１の幅方向中央付近に位置している。収容部３１は、本実施形態においては、遊泳方向後方に向けて右上がり傾斜して配置されている。また、収容部３１は、案内部３３と直交し、案内部３３の前方側と連通している。バネ３２は、収容部３１の内部に収容され、案内部３３に軸支された支柱２１を案内部３３の後方（図示右方向）に向けて付勢している。
【００４９】
ラッチ溝３５は、頭部１１ａの両側面に扇形状に開孔された開孔部を有している。ラッチ溝３５は、前記開孔部の周囲であって、頭部１１ａの内壁面に立設された周壁内に形成されている。また、ラッチ溝３５は、前記周壁の後方側内周面に形成された複数の溝を有している。従って、支柱２１は、通常時にはバネ３２の付勢により、ラッチ部２２がラッチ溝３５の複数の溝のいずれかの位置に係止する。また、バネ３２に抗してヒレ部２０を前方側（図示左方向）に移動させることにより、支柱２１及びラッチ部２２がヒレ部２０と一体に前方側（図示左方向）に移動する。これにより、ラッチ部２２とラッチ溝３５との係止が解除されて、ラッチ部２２の支柱２１を支点とした回動が許容される。すなわち、ヒレ部２０を、ルアー１０の本体部１１の側面に対して交差する軸周りに回動させることが可能となる。また、ヒレ部２０の遊泳方向に対する角度調節が可能となる。
【００５０】
以上が、第一の実施形態にかかるルアー１０の構成であり、次に当該ルアー１０におけるヒレ部２０の角度調節についての詳細を以下に説明する。
【００５１】
まず、図５（ｂ）のごとく、両側のヒレ部２０が、頭部１１ａを介して支柱２１及びラッチ部２２に装着される。このとき、本実施形態においては、両側のヒレ部２０がそれぞれ本体部１１に対して対称で同一方向を向くように装着される。
【００５２】
図６は、角度調節部３０を拡大し、収容部３１やラッチ溝３５の周壁を省略した説明図である。本実施形態においては、ヒレ部２０が初期状態として、頭部１１ａに対して、右上がり傾斜に装着されている。角度調節部３０におけるヒレ部２０の角度調整は、まず、ヒレ部２０を案内部３３に沿ってバネ３２に抗しながら前方側（図示左斜め下方向）に移動させることにより開始される。これにより、ヒレ部２０の支柱２１は、案内部３３の前端側に移動し、ラッチ部２２は、ラッチ溝３５との係止が解除される。ラッチ部２２とラッチ溝３５との係止が解除されることにより、ヒレ部２０は、本体部１１の側面に対して交差する支柱２１を支点としてラッチ溝３５に沿った回動が可能となる。
【００５３】
続いて、ヒレ部２０を上下方向のいずれかに回転させた後、バネ３２に抗する力の付与を解除することにより、支柱２１がバネ３２に付勢されて案内部３３の後端側に移動する。これにより、ラッチ部２２が初期状態と異なるラッチ溝３５に係止され、ヒレ部２０の角度が、所定角度に位置決めされる。本実施形態のようにラッチ部２２とラッチ部２２との係止が、ルアー１０の遊泳方向後方に向けて行われるように構成することで、ルアー１０を遊泳させる際に、ヒレ部２０が水流抵抗に負けて不用意に回動することを防止できる。これにより、ルアー１０を安定に遊泳させることが可能となる。また、ラッチ部による抵抗部の係止方向が、水流抵抗を受ける方向と一致しているので、ラッチ部やラッチ溝の破損を防止できる。
【００５４】
ヒレ部２０の角度調節は、例えばルアー１０を水中深くに潜らせたい場合、ヒレ部２０の右上がり傾斜角が大きく設定され、ルアー１０を平行に遊泳させたい場合、ヒレ部２０を遊泳方向と平行な角度に設定される。また、ルアー１０を水面付近で遊泳させたい場合は、ヒレ部２０を右下がり傾斜となるような傾斜角に設定すれば良い。
【００５５】
なお、例えば、ヒレ部２０の外側に溝等を形成し、ヒレ部２０が水流抵抗を受ける方向を変化させるようにすることも可能である。これにより、角度調節部３０におけるヒレ部２０の角度調節と併せて、多彩な遊泳姿勢や遊泳方向の制御をすることが可能となる。
【００５６】
次に本発明のルアーの第二の実施形態について、図７から図１０に基づいて以下に詳細を説明する。なお、ルアー１０の外観は、第一の実施形態とほぼ同様であるため、図示を省略する。また、第一の実施形態と共通する部材の符号は、同一のものを使用し、共通する部分の説明は、一部省略する。
【００５７】
図７は、図３におけるＡ−Ａ方向矢視図であり、図８（ａ）は、図３におけるＢ−Ｂ方向矢視図であり、図８（ｂ）は、（ａ）の分解説明図である。図９は、頭部１１ａ付近を拡大した斜視説明図である。なお、ルアー１０の本体部１１は、第一の実施形態と同様であるので、説明を省略する。
【００５８】
図８及び図９のように、ヒレ部４０（抵抗部とも称す）は、ヒレ本体部４０ａと、ルアー１０の本体部１１側に向けて突出して設けられる筒部４０ｂ（支持部とも称す）と、筒部４０ｂに内嵌される支柱４１等を備えている。なお、筒部４０ｂ及び支柱４１は、ヒレ部４０と独立の部材とすることも可能である。
【００５９】
筒部４０ｂは、遊泳方向後方（図示右方向）の外周先端にギアが形成され、当該ギアはラッチ溝４２を形成している。また、ラッチ溝４２の反対側（図示左方向）は、回り止め用の凸部４３（図９参照）が形成されている。また、筒部４０ｂは、内側に六角形状の開孔４０ｃが形成されており、ヒレ本体部４０ａに開孔されたネジ孔と連通している。開孔４０ｃは、ヒレ本体部４０ａ側からネジ２３の挿通が可能である。また、ネジ２３は、ヒレ本体部４０ａのネジ孔に挿通された際にネジ２３の頭部が、ヒレ本体部４０ａに係止される。
【００６０】
図９のように支柱４１は、六角柱状に形成され、両端に雌ネジ（図示しない）が形成されている。支柱４１は、開孔４０ｃに挿入することで、支柱４１の外周が開孔４０ｃと係合する。また、開孔４０ｃに挿入された支柱４１にヒレ本体部４０ａ側から挿通されたネジ２３を螺合させることにより、ヒレ部４０が支柱４１に締結される。これにより、ヒレ部４０は、ルアー１０の本体部１１と接するように又は近接して装着が可能である。また、ヒレ部４０は、本体部１１から着脱して交換が可能である。
【００６１】
なお、支柱４１は、密度が本体部１１の密度よりも高い素材で構成すると良い。支柱４１の密度が、本体部１１の密度よりも高い素材で構成することで、ルアー１０の錘として作用させることができる。また、支柱４１は、比重が１よりも大きい素材（例えば、鉄等の金属）で構成すると良い。支柱４１に比重が１よりも大きい素材を用いることで、ルアー１０の水中における錘として作用する。また、支柱４１を、本体部１１を側面視した状態において、釣糸に接続されるアイ１４よりも下側の領域に配置することで、魚のような自然な動きを実現しつつ、錘としても作用させることが可能である。また、ヒレ部４０における取り付け面は、第一の実施形態と同様に本体部１１の外形に沿った形状のものを好ましく使用できる。また、ヒレ部４０の外側面も
第一の実施形態と同様に本体部１１に沿った形状とすることが好ましい。
【００６２】
図８（ａ）のように、両側のヒレ部４０が、支柱４１によりルアー１０の本体部１１を介してそれぞれ接続される。これにより、ヒレ部４０の筒部４０ｂが、本体部１１に回動可能に軸支される。また、両側のヒレ部４０同士が接続されているので両側のヒレ部４０を一体に回動させることが可能である。
【００６３】
図８及び図９のように角度調節部５０は、ルアー１０の頭部１１ａでヒレ部４０が装着される位置に形成されている。角度調節部５０は、遊泳方向前後に形成された案内部５１と、案内部５１の前方側（図示左方向）に形成され、筒部４０ｂを軸支する支持孔５２と、案内部５１の内部に収容されるバネ３２（弾性部材とも称す）と、バネ３２の前端側に設けられた係合ピン５３（ラッチ部とも称す）等を備えている。なお、案内部５１と、支持孔５２と、バネ３２と、係合ピン５３は、角度調節部５０とそれぞれ独立の部材とすることも可能である。
【００６４】
案内部５１は、頭部１１ａの内面に突設された周壁内に形成され、支持孔５２の後方側であって本体部１１の幅方向中央付近に位置している。案内部５１は、本実施形態においては、遊泳方向前後に沿って形成されている。案内部５１は、前端側が開孔し、支持孔５２に連通している。案内部５１の内部には、バネ３２と、バネ３２の前端側に設けられた係合ピン５３とが設けられている。係合ピン５３は、先端が円錐形状に尖って形成され、バネ３２によって前方側に付勢されている。これにより、係合ピン５３は、遊泳方向前後に移動可能に案内されると共に先端が後述するラッチ溝４２に係止される。
【００６５】
上述のようにラッチ溝４２は、ギア形状に形成され、複数の溝を有している。これにより、係合ピン５３は、バネ３２の付勢により、係合ピン５３がラッチ溝４２のいずれかの溝に係止する。また、バネ３２に抗してラッチ溝４２を強制的に回動させることにより、係合ピン５３が案内部５１の後方側に移動し、ラッチ溝４２との係止が解除される。すなわち、ヒレ部４０がルアー１０の本体部１１の側面に対して交差する軸周りに回動が可能となる。これにより、ヒレ部４０の遊泳方向に対する角度を調節することが可能となる。
【００６６】
支持孔５２は、筒部４０ｂを軸支するように形成された円形孔と、円形孔の外周の一部に形成された回り止め部５２ａとを有している。筒部４０ｂは、前記円形孔部分で、回動可能に軸支されている。また、筒部４０ｂの凸部４３が、回り止め部５２ａと係合することで、所定角度以上にヒレ部４０が回動することを抑止する。
【００６７】
以上が、本発明の第二の実施形態にかかるルアー１０の構成であり、次に当該ルアー１０におけるヒレ部４０の角度の調整についての詳細を以下に説明する。
【００６８】
図１０のように、ヒレ部４０をバネ３２に抗する力を付与して強制的に回動させると、ラッチ溝４２により、係合ピン５３が後方側（図示右方向）に移動し、バネ３２が収縮する。ヒレ部４０を所定の角度に調節した後、ヒレ部４０の回転を停止させると、係合ピン５３がバネ３２に付勢されて、前方側（図示右方向）に移動する。これにより、ヒレ部４０が所定角度で位置決めされる。また、ルアー１０の遊泳時に水流抵抗により、ラッチ溝４２が係合ピン５３に係止される方向に作用するので、不用意にヒレ部４０の角度が変わることを抑制できる。これにより、ルアー１０を安定に遊泳させることが可能となる。また、ラッチ部による抵抗部の係止方向が、水流抵抗を受ける方向と一致しているので、ラッチ部やラッチ溝の破損を防止できる。
【００６９】
次に本発明のルアーの第三の実施形態について、図１１及び図１２に基づいて、以下に詳細を説明する。図１１は、ルアー１０の正面図であり、図１２（ａ）は、図１１におけるＣ−Ｃ方向矢視図であり、図１２（ｂ）は、図１１におけるＤ−Ｄ方向矢視図である。本実施形態においても、ヒレ部６０と、角度調節部７０との構成を除いて、第一及び第二の実施形態と同様であるので、共通部分の説明は、省略する。また、共通部分の符号は同一のものを使用する。
【００７０】
図１２（ａ）のように、ヒレ部６０（抵抗部とも称す）は、左右一対設けられている。ヒレ部６０は、ヒレ本体部６０ａと、両側のヒレ部６０をそれぞれ接続する支柱６１（支持部とも称す）とを有している。また、ヒレ部６０は、支柱６１と接続するためのネジ孔が開孔している。なお、支柱６１は、ヒレ部６０と独立の部材とすることも可能である。
【００７１】
支柱６１は、ルアー１０の頭部１１ａの側面に開孔された支持孔７２に軸支される。また、支柱６１の両端には雌ネジが形成されており、当該雌ネジにヒレ部６０を介してネジ２３を螺合させることでルアー１０の本体部１１の側面にヒレ部６０が着脱可能に装着される。
【００７２】
ヒレ部６０における本体部１１への取り付け面は、本体部１１に沿った形状に形成されている。なお、ヒレ部６０の外側面も、第一及び第二の実施形態と同様に本体部１１に沿った形状とすることが好ましい。また、図１２（ｂ）のようにヒレ部６０の内側面で支柱６１の後方側（図示右方向）には、凸部６３が形成されている。
【００７３】
図１２（ａ）及び（ｂ）のように角度調節部７０は、頭部１１ａのヒレ部６０を装着する位置に形成され、支柱６１を軸支する支持孔７２と、凸部６３と係合する係合溝７１等を備えている。支持孔７２は、頭部１１ａの内側面に円筒状に立設された周壁内に貫通して形成されている。なお、支持孔５２及び係合溝７１は、角度調節部７０とそれぞれ独立の部材とすることも可能である。
【００７４】
支柱６１は、円筒形状に形成され、両端に雌ネジが形成されている。ヒレ部６０は、ヒレ部６０のネジ孔に挿通したネジ２３を支柱６１の雌ネジに螺合させることで、支柱６１と接続される。これにより、ヒレ部６０は、本体部１１に着脱可能に装着される。支柱６１は、第一及び第二の実施形態と同様に、密度が本体部１１の密度よりも高い素材で構成すると良い。また、支柱６１は、比重が１よりも大きい素材（例えば、鉄等の金属）で構成すると良い。また、支柱６１を、本体部１１を側面視した状態において、釣糸に接続されるアイ１４よりも下側の領域に配置することで、魚のような自然な動きを実現しつつ、錘としても作用させることが可能である。
【００７５】
係合溝７１は、凸部６３と同等又は凸部６３より僅かに小さく形成され、凸部６３を所定の位置で係止して位置決めすることが可能である。ヒレ部６０は、本体部１１の側面に対して交差する支柱６１を支点に回動させることにより、角度調節が可能である。また、両側のヒレ部６０同士が接続されているので両側のヒレ部６０を一体に回動させることが可能である。また、ヒレ部６０は、回動させた後、凸部６３と係合溝７１とを係止させることで所定の角度で位置決めすることが可能である。なお、凸部６３の外周又は係合溝７１の少なくとも一方又は双方を粗面等とすることにより、係合溝７１と凸部６３との係止を摩擦力で行うようにすることも可能である。また、係止させる方向が、ルアー１０の遊泳時に水流抵抗により付勢される方向（後方側）に係止させるようにすることが好ましい。
【００７６】
次に本発明のルアーの第四の実施形態について、図１３から図１７に基づいて、以下に詳細を説明する。図１３は、図３におけるＡ−Ａ方向矢視図であり、図１４（ａ）及び（ｂ）は、図３におけるＢ−Ｂ方向矢視図である。また、図１５は、頭部１１ａ付近を拡大した斜視説明図である。なお、ルアー１０の本体部１１は、第一の実施形態と同様であるので、説明を省略する。
【００７７】
図１４及び図１５のように、ヒレ部８０（抵抗部とも称す）は、ヒレ本体部８０ａと、ルアー１０の本体部１１側に向けて突出して設けられる筒部８０ｂ（支持部とも称す）と、筒部８０ｂに内嵌される支柱４１等を備えている。なお、筒部８０ｂ及び支柱４１は、ヒレ部８０と独立の部材とすることも可能である。
【００７８】
筒部８０ｂは、外周における後方側（図示右方向）にギアが形成され、当該ギアはラッチ部８２を構成している。また、筒部８０ｂは、内側に六角形状の開孔８０ｃが形成されており、ヒレ本体部８０ａに開孔されたネジ孔と連通している。開孔８０ｃは、ヒレ本体部８０ａ側からネジ２３の挿通が可能である。また、ネジ２３は、ヒレ本体部８０ａのネジ孔に挿通された際にネジ２３の頭部が、ヒレ本体部８０ａに係止される。
【００７９】
図１５のように支柱４１は、六角柱状に形成され、両端に雌ネジ（図示しない）が形成されている。支柱４１は、開孔８０ｃに挿入することで、開孔８０ｃと係合する。また、開孔８０ｃに挿入された支柱４１にネジ２３を螺合させることによりヒレ部８０が、支柱４１に締結される。これにより、ヒレ本体部８０ａは、ルアー１０の本体部１１の側面に着脱可能に装着される。なお、第一から第三の実施形態と同様に支柱４１は、密度が本体部１１の密度よりも高い素材で構成すると良い。また、支柱４１は、比重が１よりも大きい素材（例えば、鉄等の金属）で構成すると良い。また、支柱４１を、本体部１１を側面視した状態において、釣糸に接続されるアイ１４よりも下側の領域に配置することで、魚のような自然な動きを実現しつつ、錘としても作用させることが可能である。ヒレ部８０における取り付け面は、第一の実施形態と同様に頭部１１ａの外形に沿った形状のものを好ましく使用できる。また、ヒレ部８０の外側面も第一から第三の実施形態と同様に本体部１１に沿った形状とすることが好ましい。
【００８０】
図１４（ａ）のように、両側のヒレ部８０は、ルアー１０の本体部１１を介して支柱４１にそれぞれ接続される。これにより、ヒレ部８０の筒部８０ｂが、本体部１１に回動可能に軸支される。また、両側のヒレ部８０同士が接続されているので両側のヒレ部８０を一体に回動させることが可能である。
【００８１】
角度調節部９０は、ルアー１０の頭部１１ａでヒレ部８０を装着する位置に形成されている。角度調節部９０は、遊泳方向前後に沿って形成された収容部９１と、当該収容部９１の後方側（図示右方向）に形成され、筒部８０ｂを軸支する案内部９２と、収容部９１の内部に収容されるバネ３２（弾性部材とも称す）等を備えている。なお、収容部９１と、案内部９２と、バネ３２とは、角度調節部９０とそれぞれ独立の部材とすることも可能である。
【００８２】
収容部９１は、頭部１１ａの内面に突設された周壁内に形成され、案内部９２の後方側であって本体部１１の幅方向中央付近に位置している。収容部９１は、本実施形態においては、遊泳方向前後に沿って形成されている。収容部９１は、案内部９２と直交し、案内部９２の前方側と連通している。バネ３２は、収容部９１の内部に収容され、筒部８０ｂを後方側（図示右方向）に付勢している。
【００８３】
案内部９２は、頭部１１ａの内面に突設された周壁内に形成され、後方側の周壁にラッチ溝９３が形成されている。案内部９２は、筒部８０ｂの前後方向への移動を可能にしている。また、案内部９２は、筒部８０ｂが前端側に位置する際に、筒部８０ｂを回動可能に軸支することが可能である。すなわち、ヒレ部８０は、本体部１１の側面に対して交差する軸周りに回動させることが可能となる。また、ヒレ部２０の遊泳方向に対する角度調節が可能となる。
【００８４】
ラッチ溝９３は、案内部９２の後方側周壁にギア形状に形成され、複数の溝を有している。これにより、筒部８０ｂが、バネ３２に付勢されて、ラッチ部８２がラッチ溝９３に係止する。また、ヒレ部８０をバネ３２に抗して前方側に移動させることにより、ラッチ部８２とラッチ溝９３との係止が解除され、ヒレ部８０の回動が許容される。すなわち、ヒレ部８０は、本体部１１の側面に対して交差する軸周りに回動させることが可能となる。また、ヒレ部２０の遊泳方向に対する角度調節が可能となる。
【００８５】
なお、ヒレ部８０の前方側への移動だけではなく、バネ３２に抗してヒレ部８０を強制的に回動させることにより、ラッチ部８２とラッチ溝９３との係止が解除されるようにするようにしても良い。
【００８６】
以上が、本発明の第四の実施形態にかかるルアー１０の構成であり、次に当該ルアー１０におけるヒレ部８０の角度の調整についての詳細を以下に説明する。
【００８７】
図１６（ａ）のように、図示二点鎖線の初期状態では、バネ３２による筒部８０ｂの付勢により、ラッチ部８２がラッチ溝９３に係止されている。ヒレ部８０が、バネ３２に抗する力の付与により前方側（図示実線位置）へ移動すると、ラッチ部８２とラッチ溝９３との係止が解除される。
【００８８】
図１６（ｂ）のように、ヒレ部８０が、支柱４１を支点としていずれかの方向に回転されることにより、ヒレ部８０の角度が所定の角度に調節される。ヒレ部８０の角度が調節された後、ヒレ部８０の前方側への力の付与を解除することにより、ラッチ部８２がラッチ溝９３に係止され、ヒレ部８０が所定の角度に位置決めされる。
【００８９】
図１７（ａ）は、ヒレ部８０を図示反時計方向に回転させて、ラッチ部８２とラッチ溝９３とを係止させた状態を表している。また、図１７（ｂ）は、ヒレ部８０を図示時計方向に回転させて、ラッチ部８２とラッチ溝９３とを係止させた状態を表している。上述のように、ルアー１０の遊泳時に水流抵抗により、ラッチ部８２がラッチ溝８３に係止される方向に作用するので、不用意にヒレ部８０の角度が変わることを抑制できる。これにより、ルアー１０を安定に遊泳させることが可能となる。また、ラッチ部による抵抗部の係止方向が、水流抵抗を受ける方向と一致しているので、ラッチ部やラッチ溝の破損を防止できる。
【００９０】
以上が、本発明の実施形態であるが、上述の実施形態は、一実施形態を示したものに過ぎず、本発明は上述したものに限られない。
【００９１】
上述の実施形態においては、ルアー１０の本体部１１は、魚形状のものとしたが、魚形状だけではなく、対象とする釣魚が補食する小動物に合わせた形状としても良い。また、上述の実施形態においては、抵抗部は、魚のヒレ形状に形成しているが、上述のような小動物に合わせた手足等の形状のものであっても良い。また、抵抗部は、魚のヒレ形状のものだけでなく、水流抵抗を制御できるものであれば各種のものを採用できる。例えば、羽状の部材、平坦な板状部材、流線形状の部材、各種形状の板状部材等も用いることができる。また、抵抗部の外側面に溝、凹部、凸部、孔等を設けるようにすることもできる。抵抗部の外側面を各種の形状とすることにより、例えば、凸部を大きく設けて、ルアーアクションを激しいものとしたり、凹部や孔を設けて、気泡を発生させたりすることで、集魚効果を上げることが可能である。また、外側面の形状をルアー１０の本体部１１に沿う形状とすることで、ルアー１０を自然な姿勢で遊泳させることができ、すれた魚に対する釣果を上げることが可能となる。また、抵抗部は、各種素材のものを用いることができる。例えば、素材は、樹脂、木、ゴム、ガラス等であっても良い。また、上述の実施形態においては、魚体における胸ビレ部分に抵抗部を設けるようにしたが、抵抗部は、例えば、胴体部１１ｂや尻部１１ｃの側面に設けるようにしても良く、抵抗部を設ける位置もルアー１０における各種の位置に設けることができる。また、抵抗部は複数箇所に設けても良い。
【００９２】
上述の実施形態においては、抵抗部を回動させた後、ラッチとラッチ溝との係止又は凸部と係合溝との係止により、抵抗部を回動させた位置での位置決めを可能としたが、本発明は、これらに限定されるものではなく、抵抗部が回動後の位置で位置決めできるものであれば各種の手段を採用できる。例えば、ラッチとラッチ溝ではなく、係止される部分を粗面に形成し、摩擦力によって係止させるものも採用することができる。また、ラッチとラッチ溝の形状もギア形状や係合ピンだけでなく、互いに係止できるものであれば、各種の形状のものを採用できる。例えば、爪状部材、係合可能な穴等も採用することができる。
【００９３】
上述の実施形態においては、角度調節部における弾性部材としてコイル状のバネを用いたが、支持部を所定の方向に付勢できるものであれば、板状バネ等の各種のものが採用できる。また、上述の実施形態においては、一対の抵抗部を支柱によって接続したが、支柱は、それぞれの抵抗部を接続できるものであれば、各種のものを採用できる。また、支柱の材質は、金属だけではなく、樹脂等の各種の材質のものを用いることができる。また、本実施形態においては、支柱が釣糸接続用のアイ１４よりも下側の領域に設けられるようにしたが、これには限定されず、支柱は、各種の位置（例えば、アイ１４と同じ高さやアイ１４よりも上側の領域）に設けることが可能である。また、本実施形態においては、抵抗部が左右対称となるように支柱に接続したが、抵抗部は左右対称だけではなく、それぞれ抵抗部の角度が異なるように接続することも可能である。抵抗部の左右の角度が異なるようにそれぞれの抵抗部を接続すると、ルアー１０の遊泳を複雑なものとすることができる。また、抵抗部は、片側だけに設けるものであっても良い。
【００９４】
上述の実施形態においては、一対の抵抗部同士を、ルアーの本体部を介して支柱で接続したが、支柱は、両抵抗部を一体に接続できるものであれば各種のものを採用できる。また、支柱は、複数設けることができ、この場合は、いずれか一本の支柱を軸として回転するようにすれば良い。
【００９５】
上述の実施形態においては、抵抗部を、ネジ２３の螺合により本体部１１に対して着脱可能としたが、抵抗部の装着は、本体部１１に対して着脱可能なものであれば各種の手段を採用することができる。例えば、前記手段は、係合する爪やピン等であっても良い。
【００９６】
上述の実施形態においては、抵抗部に支持部やラッチ部等を含める構成としたが、支持部やラッチ部は、抵抗部とそれぞれ独立した部材としても良い。また、上述の実施形態においては、角度調節部は、案内部と、収容部と、弾性部材と、収容部等を含める構成としたが、角度調節部とそれぞれ独立した部材としても良い。
【産業上の利用可能性】
【００９７】
本発明のルアーは、レジャーとしての釣りだけではなく、漁業目的のルアーとして用いることが可能である。
【符号の説明】
【００９８】
１０    ルアー
１１    本体部
１１ａ  頭部
１１ｂ  胴体部
１１ｃ  尻部
１４    アイ
２０    ヒレ部（抵抗部）
２１    支柱（支持部）
２２    ラッチ部
３０    角度調節部
３１    収容部
３２    バネ（弾性部材）
３３    案内部
３５    ラッチ溝
４０    ヒレ部
４０ｂ  筒部（支持部）
４１    支柱
４２    ラッチ溝
５０    角度調節部
５１    案内部
５２    支持孔
５３    係合ピン（ラッチ部）
６０    ヒレ部（抵抗部）
６１    支柱
７０    角度調節部
８０    ヒレ部（抵抗部）
８０ａ  ヒレ本体部
８０ｂ  筒部（支持部）
８２    ラッチ部
９０    角度調節部
９１    収容部
９２    案内部
９３    ラッチ溝
【要約】
【課題】様々な釣り場の状況に応じて多彩なアクションを演出させることが可能なルアーを提供する。
【解決手段】水面付近又は水中を遊泳させる魚形状の本体部１１を有するルアー１０である。ルアー１０は、本体部１１と、本体部１１の両側面の少なくとも一方に設けられ、遊泳時に水流抵抗を付与するヒレ部２０と、を備えている。ヒレ部２０は、本体部１１の側面に対して交差する軸周りに回動可能に構成されており、ヒレ部２０を回動させつつ、回動させた位置で位置決め可能に構成する。
【選択図】図２【図１】
0006618065.tif 000002
【図２】
0006618065.tif 000003
【図３】
0006618065.tif 000004
【図４】
0006618065.tif 000005
【図５】
0006618065.tif 000006
【図６】
0006618065.tif 000007
【図７】
0006618065.tif 000008
【図８】
0006618065.tif 000009
【図９】
0006618065.tif 000010
【図１０】
0006618065.tif 000011
【図１１】
0006618065.tif 000012
【図１２】
0006618065.tif 000013
【図１３】
0006618065.tif 000014
【図１４】
0006618065.tif 000015
【図１５】
0006618065.tif 000016
【図１６】
0006618065.tif 000017
【図１７】
0006618065.tif 000018